(57)【要約】【課題】ベースハウジングにスライドハウジングが移動可能に設置されたカード用コネクタであって、小型化、低背化等に対応し易く、また、接続の信頼性を向上できる構成のカード用コネクタを提供する。【解決手段】ベースハウジング１０と、スライド可能に搭載されたスライドハウジング３０とでカード用コネクタが構成される。スライドハウジング３０には、カード収容空洞４０が設けられていると共に、カード収容空洞４０に臨んでカード７０の接点７１と係合可能としたコンタクト片４６と、スライドハウジング３０の外部に配置されるコンタクト片４５を備えた端子４３が設けられている。ベースハウジング１０には、スライドハウジング３０が接続位置にスライドした時に、スライドハウジング３０の外部に配置されたコンタクト片４５と係合するコンタクト片１６を有する端子１４が設けられている。【選択図】　図１
2004031150.tif 000002
【特許請求の範囲】
【請求項１】
ベースハウジング１０と、このベースハウジング１０上に、カード７０の挿入位置と接続位置の間でスライド可能に搭載されたスライドハウジング３０とで構成され、
前記スライドハウジング３０には、カード収容空洞４０が設けられていると共に、カード収容空洞４０に臨んでカード７０の接点７１と係合可能としたコンタクト片４６と、スライドハウジング３０の外部に配置されるコンタクト片４５を備えた端子４３が設けられており、
前記ベースハウジング１０には、前記スライドハウジング３０が接続位置にスライドした時に、スライドハウジング３０の外部に配置されたコンタクト片４５と係合するコンタクト片１６を有する端子１４が設けられていることを特徴としたカード用コネクタ。
【請求項２】
前記ベースハウジング１０とスライドハウジング３０の間には、スライドハウジング３０が前記挿入位置と接続位置の間をスライドする途中で付勢方向が反転するばね部材９０で連結され、スライドの後半がばね部材９０の付勢力で行われる請求項１に記載のカード用コネクタ。
【請求項３】
前記ばね部材は、トグルばね９０とした請求項２に記載のカード用コネクタ。
【請求項４】
前記ばね部材は、ベースハウジング１０に設置されている請求項２または３に記載のカード用コネクタ。
【請求項５】
前記ばね部材は、ベースハウジング１０の外部に設置されている請求項２または３に記載のカード用コネクタ。
【請求項６】
前記スライドハウジング３０の外部に配置されるコンタクト片４５が、スライドハウジング３０の底面に沿って固定されたコンタクト片４５とされ、前記ベースハウジングのコンタクト片１６が、片持梁状となって延びるコンタクト片１６とした請求項１に記載のカード用コネクタ。
【請求項７】
前記スライドハウジング３０の外部に配置されるコンタクト片４５が、片持梁状となって延びるコンタクト片４５Ａとされ、前記ベースハウジング１０のコンタクト片が、ベースハウジング１０の上面に沿って固定されたコンタクト片１５Ａとした請求項１に記載のカード用コネクタ。
【発明の詳細な説明】
【０００１】
【発明の属する技術分野】
この発明は、ＳＤ（ｓｑｕａｒｅ　ｄｉｇｉｔａｌ）カード、ＩＣカード等のカード状媒体を挿入して接続できるカード用コネクタに関する。
【０００２】
【従来の技術】
従来、カード用コネクタとして、接続用のコネクタと、金属シェルなどのカバー部材でカードの収納部を構成し、カードを挿入口から収納部に挿入すると、挿入完了位置で、カードの接点と接続用のコネクタの端子が係合するようにしたカード用コネクタが知られている（例えば、特開平８−２９３００６号）。
【０００３】
また、シャーシ（ベースハウジング）にホルダ（スライドハウジング）を移動可能に設置し、カードをホルダに保持させて、ホルダの移動を伴ってカードを挿入できるようにしたカード用コネクタも知られている（特開２００１−６０２５３号）。ホルダとシャーシの間には、トグルばねが、ホルダの移動の途中で付勢方向が反転するように設置され、ホルダの移動の後半には、トグルばねの弾力によって移動できるようにしている。シャーシには、接続用のコネクタが設置され、ホルダと共に移動するカードが挿入完了位置に来ると、カードの接点とコネクタの端子が係合するようにしている。
【０００４】
このシャーシにホルダを移動可能に設置した構造のものでは、ホルダに接続用のコネクタを設置し、カードがホルダに保持された段階でカードの接点とコネクタの端子が係合するようにしたものも提案されている（特開２００１−１３５４１１号）。このホルダに接続用のコネクタを設置したものでは、コネクタとシャーシ若しくはシャーシが取り付けられる基板の間がＦＰＣなどの平形柔軟ケーブルで接続される。したがって、ホルダの移動の際には、平形柔軟ケーブルが引き回されることになっていた。
【０００５】
【発明が解決しようとする課題】
前記のような従来のカード用コネクタにおいて、ホルダに接続用のコネクタを設置し、このコネクタにＦＰＣなどの平形柔軟ケーブルを接続した構成のカード用コネクタは、ホルダの移動の際に平形柔軟ケーブルが引き回されるので、カード用コネクタ内に平形柔軟ケーブルの引き回しの為の十分なスペースを確保する必要があった。この為、カード用コネクタの小型化、低背化等を図る場合、引き回しの為のスペースが設計上の制約となっていた。また、平形柔軟ケーブルを引き回すと、接続用のコネクタなどとの接続部分、即ち、半田付け部分にストレスがかかり、半田付け部分の剥離を引き起こすので、信頼性が損なわれる問題もあった。
【０００６】
この発明は斯かる問題点に鑑みてなされたもので、ベースハウジングにスライドハウジングが移動可能に設置されたカード用コネクタであって、小型化、低背化等に対応し易く、また、接続の信頼性を向上できる構成のカード用コネクタを提供することを目的としている。
【０００７】
【課題を解決するための手段】
前記の目的のもとになされたこの発明は、ベースハウジングと、このベースハウジング上に、カードの挿入位置と接続位置の間でスライド可能に搭載されたスライドハウジングとで構成され、
前記スライドハウジングには、カード収容空洞が設けられていると共に、カード収容空洞に臨んでカードの接点と係合可能としたコンタクト片と、スライドハウジングの外部に配置されるコンタクト片を備えた端子が設けられており、
前記ベースハウジングには、前記スライドハウジングが接続位置にスライドした時に、スライドハウジングの外部に配置されたコンタクト片と係合するコンタクト片を有する端子が設けられていることを特徴としたカード用コネクタである。
【０００８】
【作用】
このように構成されるこの発明のカード用コネクタによれば、スライドハウジングを接続位置にスライドさせた時に、スライドハウジングに設けた端子とベースハウジングに設けた端子が係合し、カードとベースハウジングが実装される回路基板の回路の間を電気的に接続することができる。スライドハウジングのスライドによって引き回されるＦＰＣの如くの平形柔軟ケーブルは介在していないので、平形柔軟ケーブルの引き回しの為のスペースを確保する必要がなく、小型化、低背化等の対応を容易にする。また、平形柔軟ケーブルの引き回しを原因とする信頼性の欠除もなくすることができる。
【０００９】
【発明の実施の形態】
以下、この発明の実施形態を添付の図を参照して説明する。
【００１０】
図１〜図９は、第１の実施形態のカード用コネクタである。カード用コネクタは、ベースハウジング１０と、このベースハウジング１０にスライド可能に搭載されたスライドハウジング３０とで構成されている。ベースハウジングを筐体５０内の回路基板５１に実装し、スライドハウジング３０に設けられたアーム３１に、筐体５０の側壁５２の長孔５３を通してスライダ５４を連結して、スライダ５４を介してスライドハウジング３０のスライド操作（イジェクト操作）ができるようにされている。
【００１１】
ベースハウジング１０は、絶縁性樹脂を略方形の板状に成形されたもので、図１において下方に表れている後端１１側に複数の端子装着溝１２が前端１３に向って形成されて、各端子装着溝１２に、それぞれベース端子１４が装着されている。ベース端子１４は、薄金属板を打ち抜いて横Ｕ字状に成形されたもので、装着片１５と片持梁状のコンタクト片１６を有している。コンタクト片１６を後ろ向きにして、装着片１５を端子装着溝１２に挿入係止して装着されている。装着片１５の端部にはテイル片１７が連設されていて、テイル片１７を回路基板５１に表面半田付けができるようにされている。ベース端子１４の片持梁状となって後方に延びているコンタクト片１６は、先端部に形成したコンタクト部１８がベースハウジング１０の上面より上側に臨むようにされている。
【００１２】
略方形の板状に成形されているベースハウジング１０の前後方向の両側縁には、図３に表れているように、切欠溝１９が略全長に亘って形成されており、スライドハウジング３０側と係合することが可能となっている。また、ベースハウジング１０の底面には回路基板５１側の位置決め孔（図示せず）と係合する為のボス２０が突出して設けてある。
【００１３】
スライドハウジング３０は、絶縁性樹脂を成形した絶縁ハウジング３２と、この絶縁ハウジング３２に被冠した金属板製のシェル３３で構成されている。シェル３３は、絶縁ハウジング３２の上側を覆う頂板３４と、頂板３４の両側縁から垂下した側板３５とで構成されて、側板３５に設けた係止タブ３６を絶縁ハウジング３２に係止させて両者が一体となっている。側板３５は、絶縁ハウジング３２の高さより長くされて、ベースハウジング１０まで延び、下端縁を内側に折曲して形成した係合縁３７が、ベースハウジング１０に形成した切欠溝１９と係合し（図３）、スライドハウジング３０がベースハウジング１０上で前後方向にスライドできるようにされている。尚、前記アーム３１は、シェル３３の一方の側板３５から延びている。
【００１４】
スライドハウジング３０を構成した絶縁ハウジング３２は、端子装着部３８と、互いに対向する一対の側壁３９とで略Ｕ字形に成形されており、側壁３９間をカード収容空洞４０とし、側壁３９の端部間をカードの挿入口４１としている。筐体５０の開口部５５を通してカード７０（ここではＳＤカードが示されている。）を挿入口４１へ差し込むと、カード７０は側壁３９の内壁で案内されてカード収容空洞４０へ挿入されるようになっている。
【００１５】
絶縁ハウジング３２の端子装着部３８には、ベースハウジング１０側のベース端子１４と対応させて、端子装着溝４２が形成されており、各端子装着溝４２にスライド端子４３が装着されている。このスライド端子４３も薄金属板を打ち抜いて成形したもので、図２に表れているように、装着片４４の後端から横Ｕ字状に折り返された第１コンタクト片４５が延び、装着片４４の前端からも第２コンタクト片４６が片持梁状に延びた形状をしている。装着片４４を端子装着溝４２に係合させて装着すると、第１コンタクト片４５は端子装着部３８の下面に形成したコンタクト収容溝４７に収容されて絶縁ハウジング３２の底面と面一となり、また、第２コンタクト片４６はカード収容空洞４０に延びて、コンタクト部４８がカード収容空洞４０に挿入されたカード７０の接点７１と対向して係合できるようにしてある。
【００１６】
上記のように、ベースハウジング１０にスライド可能に搭載されたスライドハウジング３０は、基本的にはカード７０を介して与えられる押し込みの力、あるいは、スライダ５４を介して与えられる引き戻しの力でスライドさせるが、スライドハウジング３０のスライドを付勢できるばね部材が更に設けられている。この実施形態では、ばね部材として、付勢方向を反転できるトグルばね９０が使用されている。
【００１７】
トグルばね９０の為に、前記ベースハウジング１０の前端１３寄りには、図２に表れているように、ばね部材収容凹部２１が設けられ、この中にトグルばね９０を収容している。トグルばね９０が有する第１アーム９１と第２アーム９２を係止させる為に、ベースハウジング１０側に固定ボス９３が設けられ、スライドハウジング３０側にスライドボス９４が設けられている。固定ボス９３は、ばね部材収容凹部２１内に上向きに設けられ、スライドボス９４は、絶縁ハウジング３２の底面に下向きで設けられている。固定ボス９３とスライドボス９４の位置関係は、スライドハウジング３０が、そのスライド範囲の略中央（図７参照）にスライドした時に、固定ボス９３とスライドボス９４が横一線に並ぶ関係としてある。
【００１８】
次に、図１がカード７０をスライドハウジング３０のカード収容空洞４０に挿入する初期状態として、その後の動作を図７および図８を参照して説明する。この初期状態では、スライドボス９４が固定ボス９３よりも前端側にあるので、スライドハウジング３０はトグルばね９０の弾発力で前端方向に付勢されて、図１に示す挿入位置に位置する。先ず、このようにトグルばね９０で付勢されているスライドハウジング３０に対して、カード７０を挿入口４１を通してカード収容空洞４０に挿入する。カード７０の前端面７２がカード収容空洞４０の内端面４０ａに当たるまで挿入する。
【００１９】
カード７０をカード収容空洞４０に挿入するとカード収容空洞４０に片持梁状となって臨んでいるスライド端子４３の第２コンタクト片４６がカード７０で下圧されて、コンタクト部４８とカード７０の接点７１が適度の接触圧で係合することになる（図２）。片持梁状の第２コンタクト片４６を下圧して弾性変形させるので、この際カード７０にはある一定の挿入力を加えることになる。前記トグルばね９０の付勢力はこの挿入力よりも大きくされて、カード７０の挿入に際してスライドハウジング３０が挿入位置から後方にスライドしないようにされており、カード７０の前端面７２がカード収容空洞４０の内端面４０ａに当接するまで適正に挿入ができるようにされている。
【００２０】
カード７０を上記のようにして挿入した後、カード７０を後方に向けてトグルばね９０の付勢力に打ち勝つ力で押し込むと、カード７０とスライドハウジング３０を後方にスライドさせることができる。このカード７０とスライドハウジング３０のスライドの途中を示したのが図７である。この過程で、スライドハウジング３０に設けたスライドボス９４も後方に移動するので、トグルばね９０は、弾発力を蓄積させながら、第１、第２アーム９１、９２の向きを変位させていく。
【００２１】
図７に示したように、スライドボス９４と固定ボス９３が横一線に並ぶ位置を越えて、更にカード７０を押し込むと、スライドボス９４は固定ボス９３より前方へ移動し、この時点でトグルばね９０の付勢方向は反転する。スライドハウジング３０はトグルばね９０によって後方へ付勢されるようになる。この結果、カード７０は吸い込まれるようにしてスライドハウジング３０と共に後方へ移動することになる。
【００２２】
トグルばね９０は、スライドハウジング３０を図６、８に示した接続位置までスライドさせる。スライドハウジング３０がこの接続位置までスライドすると、スライドハウジング３０の底面に露出しているスライド端子４３の第１コンタクト片４５が、図９に示されているように、ベースハウジング１０側のベース端子１４のコンタクト片１６に乗り上げるようにしてコンタクト片１６を下圧し、コンタクト部１８と第２コンタクト片４６が適度の接触圧で係合して電気的に導通する。この結果、ベース端子１４が接続（半田付け）される回路基板５１内の回路とカード７０を電気的に接続することができる。
【００２３】
カード７０の取り出しは、スライダ５４を介して行うことができる。スライドハウジング３０を図８の接続位置から図７の中間位置を若干越えた位置までスライドさせると、再びトグルばね９０の付勢方向が反転し、トグルばね９０の付勢力でスライドハウジング３０およびカード７０を図１の挿入位置までスライドさせることができる。図１の状態では、カード７０の基端側が筐体５０の開口部５５から突出するので、基端側を把持してカード７０を取り出すことができる。
【００２４】
図１０および図１１は、第２の実施形態を示している。この実施形態と第１の実施形態は、ベース端子１４Ａおよびスライド端子４３Ａの形状のみが異なっているので、スライドハウジング３０が挿入位置にある時（図１０）と接続位置にある時（図１１）のそれぞれ断面図だけを示している。第１の実施形態と同一の部材には同一の符号を付して説明は省略する。
【００２５】
ベースハウジング１０に装着されたベース端子１４Ａは、ベースハウジング１０の端子装着溝１２に装着されて上面に露出している装着片１５Ａがコンタクト片も構成している。一方、スライドハウジング３０に装着されたスライド端子４３Ａは、装着片４４Ａの後端に横Ｕ字状に折り返された第１コンタクト片４５Ａが斜め下方に向かって片持梁状となって延びて、スライドハウジング３０の下面よりも下方に臨んだ形状とされている。
【００２６】
この第２の実施形態では、スライドハウジング３０が図１１の接続位置までスライドすると、スライド端子４３Ａの第１コンタクト片４５Ａがベース端子１４Ａのコンタクト片を兼ねている装着片１５Ａの上に乗り上がるようにして弾性変形し、第１コンタクト片４５Ａと装着片１５Ａが適度の接触圧で電気的に係合する。
【００２７】
次に、図１２〜図１４は第３の実施形態を示している。この実施形態は、ベースハウジング１０Ｂの薄型化を考慮したもので、スライドハウジング３０Ｂを付勢するトグルばね９０をベースハウジング１０Ｂの外部、即ち、回路基板５１に設置するようにしたものである。したがって、固定ボス９３Ｂが回路基板５１上に設けられ、スライドボス９４Ｂはスライドハウジング３０Ｂのシェル３３Ｂに設けた水平タブ４９に設けられている。
【００２８】
また、ベースハウジング１０Ｂに設けたベース端子１４Ｂは、ベースハウジング１０Ｂの上面に沿って片持梁状に延びるコンタクト片１６Ｂが弧状に形成されており、また、テイル片１７Ｂは回路基板５１に対してディップ半田付けができるようにピン状とされている。スライドハウジング３０Ｂに設けたスライド端子４３Ｂは、第２コンタクト片４６Ｂが後方に向って略水平に延びて、スライドハウジング３０Ｂが接続位置にスライドすると、第２コンタクト片４６Ｂがベース端子１４Ｂのコンタクト片１６Ｂの弧状の湾曲部分に乗り上げて弾接するようにしてある。その他の部分は第１の実施形態と略同様であるので、同一部分には同一の符号を付して説明は省略する。
【００２９】
この実施形態もこれまで説明したのと同様で、スライドハウジング３０Ｂが図の挿入位置にある状態で、カード７０の接点７１とスライド端子４３Ｂを係合させ、そして、スライドハウジング３０Ｂを接続位置へスライドさせて、スライド端子４３Ｂとベース端子１４Ｂを係合させて、最終的にカード７０と回路基板５１を接続することができる。
【００３０】
【発明の効果】
以上に説明の通り、この発明によれば、スライドハウジングが接続位置にスライドした時にスライドハウジングの端子とベースハウジングの端子を係合するようにして、スライドハウジングのスライドによって引き回される平形柔軟ケーブルを介在しない構成としたので、小型化、低背化等の設計上の自由度を得ることができ、また、スライドハウジングのスライドで引き回される平形柔軟ケーブルを原因とする信頼性の欠除を回避して信頼性の高いカード用コネクタを構成できる効果がある。
【図面の簡単な説明】
【図１】この発明の第１の実施形態のシェルを除いて示した平面図であり、スライドハウジングが挿入位置にある時の図である。
【図２】図１の状態の拡大縦断側面図である。
【図３】第１の実施形態の、挿入口側から見た正面図である。
【図４】第１の実施形態の平面図である。
【図５】第１の実施形態の側面図である。
【図６】同じく第１の実施形態の側面図で、スライドハウジングが接続位置にある時の図である。
【図７】第１の実施形態で、スライドハウジングが中間位置までスライドした時の、シェルを除いて示した平面図である。
【図８】第１の実施形態で、スライドハウジングが接続位置までスライドした時の、シェルを除いて示した平面図である。
【図９】図８の状態の拡大縦断側面図である。
【図１０】この発明の第２の実施形態の、スライドハウジングが挿入位置にある時の拡大縦断側面図である。
【図１１】第２の実施形態の、スライドハウジングが接続位置にある時の拡大縦断側面図である。
【図１２】この発明の第３の実施形態の、シェルを除いて示した平面図である。
【図１３】第３の実施形態の、挿入口側から見た正面図である。
【図１４】第３の実施形態の縦断側面図である（但し、トグルばねも示されている）。
【符号の説明】
１０、１０Ｂ　ベースハウジング
１４、１４Ａ、１４Ｂ　ベース端子
１５、１５Ａ　装着片
１６、１６Ｂ　コンタクト片
１８　　　　　コンタクト部
２１　　　　　ばね収容凹部
３０、３０Ｂ　スライドハウジング
３２　　　　　絶縁ハウジング
３３　　　　　シェル
４０　　　　　カード収容空洞
４１　　　　　挿入口
４３、４３Ａ、４３Ｂ　スライド端子
４５、４５Ａ　第１コンタクト片
４６、４６Ｂ　第２コンタクト片
４８　　　　　コンタクト部
５１　　　　　回路基板
７０　　　　　カード
７１　　　　　接点
９０　　　　　トグルばね
９３、９３Ｂ　固定ボス
９４、９４Ｂ　スライドボス
【図１】
2004031150.tif 000003
【図２】
2004031150.tif 000004
【図３】
2004031150.tif 000005
【図４】
2004031150.tif 000006
【図５】
2004031150.tif 000007
【図６】
2004031150.tif 000008
【図７】
2004031150.tif 000009
【図８】
2004031150.tif 000010
【図９】
2004031150.tif 000011
【図１０】
2004031150.tif 000012
【図１１】
2004031150.tif 000013
【図１２】
2004031150.tif 000014
【図１３】
2004031150.tif 000015
【図１４】
2004031150.tif 000016